(57)【要約】  シート材容器（Ｃ１）は、内容物（９６）を収容する収容部（１０ａ）を有して、積層シート（１２０Ｓ）で構成されたシート材容器Ｃ１である。第１内層シート（１２２Ｓａ、１２３Ｓａ）、第１外層シート（１２１Ｓａ）及び第２内層シート（１２２Ｓｂ、１２３Ｓｂ）のうち、加飾部（３６ｂ、３６ｃ、３６ｄ、３６ｈ）に対してシート材容器Ｃ１の一方側にあるシートは、可視光を透過可能な透光部（３４ｄ、３４ｅ、３４ｆ、３４ｇ）を有する。複数の加飾部（３６ｂ、３６ｃ、３６ｄ、３６ｈ）は、シート材容器（Ｃ１）の外方から可視光が透過する位置にあるように構成されている。
2020012607.tif 000002
【特許請求の範囲】
【請求項１】
内容物を収容する収容部を有して、積層シートで構成されたシート材容器であって、
前記積層シートは、
前記収容部を挟んで前記シート材容器の一方側にある第１積層シートと、
前記収容部を挟んで前記シート材容器の他方側にある第２積層シートと、を含み、
前記第１積層シートは、
第１内層シートと、
該第１内層シートの外側を覆う第１外層シートと、を含み、
前記第２積層シートは、
第２内層シートと、
該第２内層シートの外側を覆う第２外層シートと、を含み、
前記第１内層シートと前記第１外層シート、又は第２内層シートと前記第２外層シートの少なくとも一方には、互いに部分的に接合された接合部と、非接合とされた非接合部とがあり、
該非接合部における前記第１内層シートと前記第１外層シートとの間、又は前記非接合部における前記第２内層シートと前記第２外層シートとの間に、充填材が封入された充填部が形成されており、
前記第１内層シート、前記第１外層シート、前記第２内層シート及び前記第２外層シートのいずれか複数は、加飾部が設けられた加飾シートであり、
複数の前記加飾シートは、前記収容部又は前記充填部を挟んで互いに離間しつつ重なる重なり領域を有して、該重なり領域に前記加飾部が設けられており、
前記第１内層シート、前記第１外層シート及び前記第２内層シートのうち、前記加飾部に対して前記シート材容器の一方側にあるシートは可視光を透過可能な透光部を有し、
前記加飾部は、前記透光部により前記シート材容器の外方から可視光が透過する位置にあることを特徴とするシート材容器。
【請求項２】
前記加飾部は、前記第１内層シートと前記第１外層シートとに設けられており、
前記透光部は、前記第１外層シートに設けられている請求項１に記載のシート材容器。
【請求項３】
前記重なり領域における前記複数の加飾シートのそれぞれに設けられた前記加飾部は、ひとまとまりの表示対象物を表す加飾である請求項１又は２に記載のシート材容器。
【請求項４】
前記第１内層シート、前記第１外層シート、前記第２内層シート及び前記第２外層シートのうち、前記シート材容器の一方側から見て、手前側にあるシートに設けられた前記加飾部は、後方側にあるシートに設けられた前記加飾部と比較して高い鮮鋭度で示されている請求項１から３のいずれか一項に記載のシート材容器。
【請求項５】
前記手前側にあるシートに設けられた前記加飾部は、前記後方側にあるシートに設けられた前記加飾部と比較して、コントラストが高い請求項４に記載のシート材容器。
【請求項６】
前記加飾部は、
前記第１外層シート又は前記第１内層シートの少なくとも一枚に設けられた前方加飾部と、前記第２外層シート又は前記第２内層シートの少なくとも一枚に設けられた後方加飾部とを有し、
前記前方加飾部及び前記後方加飾部の少なくとも一部が、前記一方側から見てずれた位置にあり、
前記後方加飾部及び前記第１内層シートに設けられた前記前方加飾部は、前記透光部により、前記一方側の前記シート材容器の外部まで光透過可能に構成されている請求項１に記載のシート材容器。
【請求項７】
前記前方加飾部が設けられた前記加飾シートと、前記後方加飾部が設けられた前記加飾シートとは、前記収容部を挟んで互いに離間しつつ重なる前記重なり領域を有して、該重なり領域に前記前方加飾部、前記後方加飾部がそれぞれ設けられている請求項６に記載のシート材容器。
【請求項８】
前記加飾部は、前記充填部を挟んで対向する前記第１外層シートと前記第１内層シートと、及び／又は前記第２外層シートと前記第２内層シートとに設けられている請求項１から７のいずれか一項に記載のシート材容器。
【請求項９】
前記収容部は、前記第１内層シートと前記第２内層シートとの少なくとも一部が互いに接合されることで形成されている請求項１から８のいずれか一項に記載のシート材容器。
【請求項１０】
前記収容部の容積は、前記内容物の収容量に応じて増減可能である請求項１から９のいずれか一項に記載のシート材容器。
【請求項１１】
前記第１内層シートは、第１内側シートと該第１内側シートの外側を覆う第１中間シートと、から構成され、
前記第２内層シートは、第２内側シートと該第２内側シートの外側を覆う第２中間シートと、から構成されており、
前記充填部は、前記第１中間シートと前記第１外層シートとの間、又は前記第２中間シートと前記第２外層シートとの間が非接合とされた前記非接合部に形成されており、
前記第１内側シートと前記第２内側シートとは、少なくとも一部を互いに接合されて、内袋を形成している請求項１から１０のいずれか一項に記載のシート材容器
【請求項１２】
前記第１内側シートは、前記第１中間シートから離間可能であり、前記第２内側シートは、前記第２中間シートから離間可能であり、
前記内袋の容積は、前記内容物の収容量に応じて増減可能である請求項１１に記載のシート材容器。
【請求項１３】
前記加飾部は、前記第１内側シート、前記第１中間シート及び前記第１外層シートのそれぞれに設けられており、
前記第１内側シートと前記第１中間シートと前記第１外層シートとの位置関係に応じた異なる表現である請求項１１又は１２に記載のシート材容器。
【請求項１４】
前記透光部の少なくとも一部は、前記加飾部に対して、前記シート材容器の外方からの可視光を直線的に透過可能な位置に配設されている請求項１から１３のいずれか一項に記載のシート材容器。
【請求項１５】
前記充填部は、凹凸形状を有して、
前記加飾部は、前記凹凸形状の部位を含んで形成されている請求項１から１４のいずれか一項に記載のシート材容器。
【請求項１６】
前記充填部は、前記シート材容器において収容部を挟んだ両側に設けられている請求項１から１５のいずれか一項に記載のシート材容器。
【請求項１７】
前記充填部は、上下方向に延在している請求項１から１６のいずれか一項に記載のシート材容器。
【請求項１８】
前記充填材は、気体である請求項１から１７のいずれか一項に記載のシート材容器。
【請求項１９】
請求項１から１８のいずれか一項に記載のシート材容器と、
前記収容部に収容された前記内容物と、を備える内容物詰めシート材容器。
【発明の詳細な説明】
【技術分野】
【０００１】
本発明は、シート材容器及び内容物詰めシート材容器に関する。
【背景技術】
【０００２】
シート材により構成されたシート材容器として、近年、保形性の向上等を目的として、シート材の層間に部分的に非接合部を設け、その非接合部に空気などの充填材を封入して充填部を構成したタイプのものが提案されている（例えば、特許文献１）。
先行技術文献
特許文献１  国際公開第２０１４／０２５６０９号
【発明の概要】
【０００３】
本発明は、内容物を収容する収容部を有して、積層シートで構成されたシート材容器であって、
前記積層シートは、
前記収容部を挟んで前記シート材容器の一方側にある第１積層シートと、
前記収容部を挟んで前記シート材容器の他方側にある第２積層シートと、を含み、
前記第１積層シートは、
第１内層シートと、
該第１内層シートの外側を覆う第１外層シートと、を含み、
前記第２積層シートは、
第２内層シートと、
該第２内層シートの外側を覆う第２外層シートと、を含み、
前記第１内層シートと前記第１外層シート、又は第２内層シートと前記第２外層シートの少なくとも一方には、互いに部分的に接合された接合部と、非接合とされた非接合部とがあり、
該非接合部における前記第１内層シートと前記第１外層シートとの間、又は前記非接合部における第２内層シートと前記第２外層シートとの間に、充填材が封入された充填部が形成されており、
前記第１内層シート、前記第１外層シート、前記第２内層シート及び前記第２外層シートのいずれか複数は、加飾部が設けられた加飾シートであり、
複数の前記加飾シートは、前記収容部又は前記充填部を挟んで互いに離間しつつ重なる重なり領域を有して、該重なり領域に前記加飾部が設けられており、
前記第１内層シート、前記第１外層シート及び前記第２内層シートのうち、前記加飾部に対して前記シート材容器の一方側にあるシートは可視光を透過可能な透光部を有し、
前記加飾部は、前記透光部により前記シート材容器の外方から可視光が透過する位置にあることを特徴とするシート材容器に関する。
【図面の簡単な説明】
【０００４】
【図１】第１実施形態に係るシート材容器（内容物詰めシート材容器）を示す上側斜視図である。
【図２】内容物詰めシート材容器の断面図であり、図１のII-II断面を示す図である。
【図３】（ａ）は、シート材容器の内袋を構成する内側シートの展開状態の平面図、（ｂ）は、外側シートの展開状態の平面図（外面側）を示す図、（ｃ）は、中間シートの展開状態の平面図（外面側）を示す図である。
【図４】外側シートの一部と中間シートの一部を接合して充填部を形成した状態を示す展開状態の平面図（内面側）を示す図である。
【図５】第２実施形態に係るシート材容器（内容物詰めシート材容器）の正面図である。
【図６】内容物詰めシート材容器の断面図であり、図５のVI-VI断面を示す図である。
【図７】加飾部が広範囲に露出した状態のシート材容器を示す正面図である。
【図８】逆止弁付きのポンプ付きキャップを示す模式的な部分断面図である。
【発明の詳細な説明】
【０００５】
特許文献１に開示されたシート材容器（同文献には、可撓性容器と記載。）においては、これを構成する内側シート及び外側シートに印刷を施す等によって加飾するものであった。しかしながら、特許文献１に開示された技術によっては、特に容器の外形に関して、容器の中央側において、奥行きのある内側シートの加飾部を立体的に表現することは困難であった。
【０００６】
本発明は、複数の加飾シートが、収容部又は充填部を挟んで互いに離間しつつ重なる重なり領域を有して、該重なり領域に加飾部が設けられており、加飾部に対してシート材容器の一方側にあるシートは可視光を透過可能な透光部を有する。本発明によれば、シート材容器の通常のフィルムデコレーションでは表現不可能な立体感をシート材容器に付与することができる。
【０００７】
以下、本発明の好ましい実施形態の例について、図面を用いて説明する。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
また、すべての図面において、同様な構成要素には同様の符号を付し、重複する説明は適宜省略する。
【０００８】
＜＜概要＞＞
まず、本実施形態に係るシート材容器Ｃ１（内容物詰めシート材容器ＣＡ１）の概要について、図１〜図４を参照して説明する。
図１は、第１実施形態に係るシート材容器Ｃ１（内容物詰めシート材容器ＣＡ１）を示す上側斜視図である。図２は、内容物詰めシート材容器ＣＡ１の断面図であり、図１のII-II断面を示す図である。図３（ａ）は、シート材容器Ｃ１の内袋１０Ｓを構成する内側シート１２３Ｓの展開状態の平面図、図３（ｂ）は、外側シート１２１Ｓの展開状態の平面図（外面側）を示す図、図３（ｃ）は、中間シート１２２Ｓの展開状態の平面図（外面側）を示す図である。図４は、外側シート１２１Ｓの一部と中間シート１２２Ｓの一部を接合して充填部４１Ｓａ、４２Ｓａ、４４Ｓａ等を形成した状態を示す展開状態の平面図（内面側）を示す図である。
【０００９】
なお、図１において、説明の便宜上、線種を区別して加飾部を示している。具体的には、後述する外側シート１２１Ｓの加飾部３６ｅ、３６ｆ、３６ｇを太線で示している。また、中間シート１２２Ｓの加飾部のうち、外側シート１２１Ｓと密着している部分を細線で示し、充填部４１Ｓａ、４２Ｓａ、４４Ｓａを形成している部分で外面よりも内側に位置する加飾部３６ｂ、３６ｃ、３６ｄを破線で示している。
【００１０】
本実施形態に係るシート材容器Ｃ１は、図１〜図４に示すように、内容物９６を収容する収容部１０ａを有して、積層シート１２０Ｓで構成されたシート材容器Ｃ１である。積層シート１２０Ｓは、収容部１０ａを挟んでシート材容器Ｃ１の一方側（正面側）にある第１積層シート１２０Ｓａと、収容部１０ａを挟んでシート材容器Ｃ１の他方側（背面側）にある第２積層シート１２０Ｓｂと、を含む。
第１積層シート１２０Ｓａは、第１内層シート（第１内側シート１２３Ｓａ及び／又は第１中間シート１２２Ｓａ）と、この第１内層シート（第１内側シート１２３Ｓａ及び／又は第１中間シート１２２Ｓａ）の外側を覆う第１外層シート（第１外側シート１２１Ｓａ）と、を含む。
第２積層シート１２０Ｓｂは、第２内層シート（第２内側シート１２３Ｓｂ及び／又は第２中間シート１２２Ｓｂ）と、この第２内層シート（第２内側シート１２３Ｓｂ及び／又は第２中間シート１２２Ｓｂ）の外側を覆う第２外層シート（第２外側シート１２１Ｓｂ）と、を含む。
第１内層シート（第１内側シート１２３Ｓａ及び／又は第１中間シート１２２Ｓａ）と第１外層シート（第１外側シート１２１Ｓａ）、又は第２内層シート（第２内側シート１２３Ｓｂ及び／又は第２中間シート１２２Ｓｂ）と第２外層シート（第２外側シート１２１Ｓｂ）の少なくとも一方には、互いに部分的に接合された接合部２５と、非接合とされた非接合部６１Ｓａ、６１Ｓｂ、６２Ｓａ、６２Ｓｂ、６４Ｓａ、６４Ｓｂとがある。
非接合部６１Ｓａ、６２Ｓａ、６４Ｓａにおける第１内層シート（第１内側シート１２３Ｓａ及び／又は第１中間シート１２２Ｓａ）と第１外層シート（第１外側シート１２１Ｓａ）との間、又は非接合部６１Ｓｂ、６２Ｓｂ、６４Ｓｂにおける第２内層シート（第２内側シート１２３Ｓｂ及び／又は第２中間シート１２２Ｓｂ）と第２外層シート（第２外側シート１２１Ｓｂ）との間に、充填材が封入された充填部４１Ｓａ、４１Ｓｂ、４２Ｓａ、４２Ｓｂ、４４Ｓａ、４４Ｓｂが形成されている。
第１内層シート（第１内側シート１２３Ｓａ及び／又は第１中間シート１２２Ｓａ）、第１外層シート（第１外側シート１２１Ｓａ）、第２内層シート（第２内側シート１２３Ｓｂ及び／又は第２中間シート１２２Ｓｂ）及び第２外層シート（第２外側シート１２１Ｓｂ）のいずれか複数は、加飾部３６ｂ、３６ｃ、３６ｄ、３６ｅ、３６ｆ、３６ｇ、３６ｈが設けられた加飾シートである。
複数の加飾シートは、充填部４１Ｓａ、４１Ｓｂ、４２Ｓａ、４２Ｓｂ、４４Ｓａ、４４Ｓｂを挟んで互いに離間しつつ重なる重なり領域５１Ｓａ、５１Ｓｂ、５２Ｓａ、５２Ｓｂ、５４Ｓａ、５４Ｓｂを有する。この重なり領域５１Ｓａ、５１Ｓｂ、５２Ｓａ、５２Ｓｂ、５４Ｓａ、５４Ｓｂに加飾部３６ｂ、３６ｃ、３６ｄ、３６ｅ、３６ｆ、３６ｇ、３６ｈが設けられている。
第１内層シート（第１内側シート１２３Ｓａ及び／又は第１中間シート１２２Ｓａ）、第１外層シート（第１外側シート１２１Ｓａ）及び第２内層シート（第２内側シート１２３Ｓｂ及び／又は第２中間シート１２２Ｓｂ）のうち、加飾部３６ｂ、３６ｃ、３６ｄ、３６ｈに対してシート材容器Ｃ１の一方側にあるシートは可視光を透過可能な透光部３４ｄ、３４ｅ、３４ｆ、３４ｇを有する。
加飾部３６ｂ、３６ｃ、３６ｄ、３６ｈは、透光部３４ｄ、３４ｅ、３４ｆ、３４ｇによりシート材容器Ｃ１の外方から可視光が透過する位置にあるように構成されている。
【００１１】
図２に示すように、内容物詰めシート材容器ＣＡ１は、シート材容器Ｃ１と、収容部１０ａに収容された内容物９６と、を備えるものである。
「収容部１０ａを挟んでシート材容器Ｃ１の一方側」、又は「収容部１０ａを挟んでシート材容器Ｃ１の他方側」とは、収容部１０ａの少なくとも一部を挟んで一方側又は他方側の意味であり、例えば、収容部が断面五角形状である場合には、任意の一面側を一方側とした場合に、他方側は、該一面に対向する二面のいずれか又は両方側を含む概念である。
また、収容部１０ａを挟む方向は任意であり、シート材容器Ｃ１における表裏方向の他、上下方向、横幅方向、斜め上下方向であってもよい。
また、内側シート１２３Ｓ、中間シート１２２Ｓ及び外側シート１２１Ｓの各シートは、更に積層された層から成るものであってもよい。
【００１２】
第１内層シート（第１内側シート１２３Ｓａ及び／又は第１中間シート１２２Ｓａ）と第２内層シート（第２内側シート１２３Ｓｂ及び／又は第２中間シート１２２Ｓｂ）とが、少なくとも一部を互いに接合されることで収容部１０ａが形成されている。上記の「収容部」とは、内容物９６を収容可能であればよく、本実施形態においては、内袋１０Ｓが収容部１０ａとして機能するものであるが、このような構成に限定されない。
つまり、内袋１０Ｓは、その一部が中間シート１２２Ｓから離間可能である内側シート１２３Ｓによって構成されているものであるが、中間シート１２２Ｓに固定されているものであってもよい。また、「収容部」については、シート材容器Ｃ１が内側シート１２３Ｓを備えずに、中間シート１２２Ｓが内容物９６を収容する収容部として機能してもよい。
【００１３】
上記の「外側を覆う」とは、外側を覆う配置であればよく、その間に他のシートが配設されたものを含む。
「加飾部」は、有彩色が全面に付されたもの、有彩色、無彩色を問わず部分的に付されたものを含み、透光性の有無を問わない。さらには、「加飾部」は、模様、色彩、文字や記号を含み、オフセット、グラビア、フレキソ、スクリーンの任意の印刷によって形成されるものの他、既に印刷されたシュリンクフィルムを貼り付けるようにして形成されるものも含む概念である。
「充填部」は、非接合部６１Ｓａ、６２Ｓａ、６１Ｓｂ、６２Ｓｂ、６４Ｓａ、６４Ｓｂすべてに形成されているものに限定されず、複数ある非接合部の一部に形成されていてもよい。
「充填材」は、流体（気体または液体）、固体（例えば粉粒体、樹脂ペレット等）又は半固体（例えば、発泡材等）とすることができ、空気などの気体であることが好ましい。
【００１４】
「透光部３４ｄ、３４ｅ、３４ｆ、３４ｇ」は、透光性を有する材質であるものの他、厚さが薄いことによって透明又は半透明であるものも含む概念である。
また、本書における「透光性」とは、厚さや材質に基づく光の透過性を示すものであり、特に可視光（４００ｎｍ〜７００ｎｍ）を透過可能な機能をいう。「可視光を透過可能」については、シート材容器Ｃ１における他の部位と比較して、可視光透過率が高く形成されているものでもよい。また、可視光透過率は、好ましくは５％以上、より好ましくは１０％以上、また、好ましくは１００％以下である。可視光透過率は、ＪＩＳ  Ｋ７３７５：２００８に準拠して測定することができる。
【００１５】
本実施形態に係るシート材容器Ｃ１は、外側シート１２１Ｓと中間シート１２２Ｓとの間に充填部４１Ｓａ、４１Ｓｂ、４２Ｓａ、４２Ｓｂ、４４Ｓａ、４４Ｓｂを備えることで剛性が高められ、一定程度安定的に形状を維持することができる。
具体的には、軟包装材である積層シートから構成される一般的なシート材容器においては、内容器を構成するシートの変形に追従して、外容器が変形してしまう。一方で、本実施形態に係るシート材容器Ｃ１は、外容器を構成する外側シート１２１Ｓと中間シート１２２Ｓとの間に充填部４１Ｓａ、４１Ｓｂ、４２Ｓａ、４２Ｓｂ、４４Ｓａ、４４Ｓｂを備えることで剛性が高められ、一定程度安定的に形状を維持することができる。
【００１６】
さらに、重なり領域５１Ｓａ、５１Ｓｂ、５２Ｓａ、５２Ｓｂ、５４Ｓａ、５４Ｓｂに設けられた加飾部３６ｂ、３６ｃ、３６ｄ、３６ｈに対して、可視光を透過可能な透光部３４ｄ、３４ｅ、３４ｆ、３４ｇが設けられていることで、シート材容器Ｃ１の外面のみを加飾する通常のフィルムデコレーションでは表現不可能な立体感をシート材容器Ｃ１に付与することができる。
【００１７】
〔第１実施形態〕
次に、本発明の第１実施形態に係るシート材容器Ｃ１（内容物詰めシート材容器ＣＡ１）の詳細について、図１〜図４を主に参照して説明する。
シート材容器Ｃ１は、図２及び図３各図に示して上記したように、内容物９６を収容する収容部１０ａを有して、積層シート１２０Ｓで構成されており、立体的な花束状の加飾が施された容器である。
【００１８】
積層シート１２０Ｓは、内側シート１２３Ｓと、内側シート１２３Ｓの外側を覆う中間シート１２２Ｓと、中間シート１２２Ｓの外側を覆う外層シートとしての外側シート１２１Ｓと、を含んでいる。
本実施形態においては、積層シート１２０Ｓが略中央部から折り返されて、その一部の周縁が接合することによってシート材容器Ｃ１を形成している。
積層シート１２０Ｓは、正面側の第１積層シート１２０Ｓａと、背面側の第２積層シート１２０Ｓｂと、を含む。
同様に、積層シート１２０Ｓを構成する内側シート１２３Ｓは、正面側の第１内側シート１２３Ｓａと、背面側の第２内側シート１２３Ｓｂと、を含む。
同様に、中間シート１２２Ｓは、正面側の第１中間シート１２２Ｓａと、背面側の第２中間シート１２２Ｓｂと、を含む。
同様に、外側シート１２１Ｓは、正面側の第１外側シート１２１Ｓａと、背面側の第２外側シート１２１Ｓｂと、を含む。
第１内側シート１２３Ｓａと、この第１内側シート１２３Ｓａの外側を覆う第１中間シート１２２Ｓａと、で構成されているものを第１内層シートともいう。
第２内側シート１２３Ｓｂと、この第２内側シート１２３Ｓｂの外側を覆う第２中間シート１２２Ｓｂと、で構成されているものを第２内層シートともいう。
第１内側シート１２３Ｓａと第２内側シート１２３Ｓｂとは、少なくとも一部（周縁）を互いに接合されて、内袋１０Ｓを形成している。
そして、シート材容器Ｃ１の上部には、収容部１０ａ内の内容物９６を外部に吐出させるためのスパウト３０が配設されている。
【００１９】
シート材容器Ｃ１は、外側シート１２１Ｓと中間シート１２２Ｓとの間の非接合部６１Ｓａ、６１Ｓｂ、６２Ｓａ、６２Ｓｂ、６４Ｓａ、６４Ｓｂに充填材が封入されることによって、シート材容器Ｃ１の厚み方向に膨らんでいる充填部４１Ｓａ、４１Ｓｂ、４２Ｓａ、４２Ｓｂ、４４Ｓａ、４４Ｓｂを含む。
【００２０】
具体的には、充填部４１Ｓａ、４２Ｓａ、４４Ｓａは、正面側にある第１外層シート（第１外側シート１２１Ｓａ）と第１中間シート１２２Ｓａとの間の非接合部６１Ｓａ、６２Ｓａ、６４Ｓａに形成されている。充填部４１Ｓｂ、４２Ｓｂ、４４Ｓｂは、背面側にある第２外層シート（第２外側シート１２１Ｓｂ）と第２中間シート１２２Ｓｂとの間の非接合部６１Ｓｂ、６２Ｓｂ、６４Ｓｂに形成されている。
このように、シート材容器Ｃ１の正面側と背面側の両方に、充填部４１Ｓａ、４２Ｓａ、４４Ｓａ、４１Ｓｂ、４２Ｓｂ、４４Ｓｂが設けられていると、重量バランスを取りやすく自立状態にしやすいため好適である。しかしながら、本発明に係る充填部は、このような構成に限定されず、重量バランスが取れている場合や、自立状態にする必要がない場合等には、正面側、背面側の一方にのみ設けられていてもよい。さらには、充填部の個数も任意に設定可能である。
【００２１】
また、充填部４１Ｓａ、４２Ｓａ、充填部４１Ｓｂ、４２Ｓｂは、シート材容器Ｃ１の正面側及び背面側の収容部１０ａを挟んだ両側において、中間シート１２２Ｓの幅方向の両縁部分に沿って、上下方向に延在している。充填部４４Ｓａ、４４Ｓｂは、幅方向中央部から両幅方向両縁部分に向かって下方に延在して倒立Ｖ字状に形成されており、正面側及び背面側において、充填部４１Ｓａ、４２Ｓａ、充填部４１Ｓｂ、４２Ｓｂと連結されている。
なお、本明細書において上下関係の説明は、特に断りのない場合は、シート材容器Ｃ１を図１のように自立させた状態での位置関係を説明したものである。すなわち、シート材容器Ｃ１が水平な載置面に載置された状態の底部が下方であり、その反対側が上方となる。
【００２２】
シート材容器Ｃ１は、図１及び図２に示すように、外側シート１２１Ｓにおける充填部４１Ｓａ、４１Ｓｂを形成している非接合部６１Ｓａ、６１Ｓｂに、透光部３４ｄと加飾部３６ｅが設けられている。
また、外側シート１２１Ｓにおける充填部４２Ｓａ、４２Ｓｂを形成している非接合部６２Ｓａ、６２Ｓｂに、透光部３４ｅと加飾部３６ｆが設けられている。
また、外側シート１２１Ｓにおける充填部４４Ｓａ、４４Ｓｂを形成している非接合部６４Ｓａ、６４Ｓｂに、透光部３４ｆと加飾部３６ｇが設けられている。
そして、中間シート１２２Ｓの少なくとも一部に加飾部３６ｂ、３６ｃ、３６ｄが設けられている。
【００２３】
本実施形態において、加飾部３６ｂは、中間シート１２２Ｓにおける充填部４１Ｓａ、４１Ｓｂを形成する部位の一部、加飾部３６ｃは、中間シート１２２Ｓにおける充填部４２Ｓａ、４２Ｓｂを形成する部位の一部、加飾部３６ｄは、中間シート１２２Ｓにおける充填部４４Ｓａ、４４Ｓｂを形成する部位の一部に設けられている。
内側シート１２３Ｓ（内袋１０Ｓ）の少なくとも一部（本実施形態においては全体）に加飾部３６ｈが設けられている。
本実施形態に係るシート材容器Ｃ１においては、内側シート１２３Ｓ全体が有彩色を有している。つまり、有彩色によって加飾された加飾部３６ｈは、内側シート１２３Ｓの全体に形成されている。
本発明はこのような構成に限定されず、内側シート１２３Ｓの外表面のみに有彩色が施されていてもよく、一部にのみに有彩色、無彩色又は模様が施されていてもよく、また透光性の有無を問わない。
特に、加飾部３６ｈは、充填部４１Ｓａ、４１Ｓｂ、４２Ｓａ、４２Ｓｂ、４４Ｓａ、４４Ｓｂ、４４Ｓｂに対向する位置に設けられている。そして、加飾シートとしての内側シート１２３Ｓ及び外側シート１２１Ｓは、充填部４１Ｓａ、４１Ｓｂ、４２Ｓａ、４２Ｓｂ、４４Ｓａ、４４Ｓｂ、４４Ｓｂを挟んで互いに離間しつつ重なる重なり領域を有する。この重なり領域に加飾部３６ｈが設けられている。
【００２４】
図２に示すように、中間シート１２２Ｓには、外側シート１２１Ｓの透光部３４ｅとともに加飾部３６ｈと外部との間で可視光を透過可能とする透光部３４ｇが設けられている。
本実施形態に係るシート材容器Ｃ１においては、内側シート１２３Ｓ全体が有彩色を有している。つまり、有彩色によって加飾された加飾部３６ｈは、内側シート１２３Ｓの全体に形成されている。加飾部３６ｈは、シート材容器Ｃ１の外方から見て透光部３４ｅ、３４ｇに重なる位置に形成されており、透光部３４ｅ、３４ｇによりシート材容器Ｃ１の外方から可視光が透過する位置にある。
【００２５】
内側シート１２３Ｓにおける加飾部３６ｈが設けられている部位と、中間シート１２２Ｓにおける透光部３４ｇが設けられている部位との間、及び外側シート１２１Ｓにおける透光部３４ｅが設けられている部位との間、並びに透光部３４ｇと透光部３４ｅとの間に透光性を有しない部材（遮光部材）が設けられていない。
一方で、部分的に透光性を有しない部材であっても、加飾部３６ｈと透光部３４ｇ、３４ｅとの間に透光性を有する部位を少なくとも備える部材であれば、内側シート１２３Ｓと中間シート１２２Ｓとの間、又は中間シート１２２Ｓと外側シート１２１Ｓとの間に設けられていてもよい。
このように構成されていることで、可視光は、外側シート１２１Ｓの透光部３４ｅ及び内側シート１２３Ｓの透光部３４ｇを介して、内側シート１２３Ｓの加飾部３６ｈに透過可能となる。
【００２６】
加飾部３６ｂ、３６ｃ、３６ｄ、３６ｅ、３６ｆ、３６ｇは、第１内層シート（第１内側シート１２３Ｓａ及び／又は第１中間シート１２２Ｓａ）と第１外層シート（第１外側シート１２１Ｓａ）とに設けられている。透光部３４ｄ、３４ｅ、３４ｆは、第１外層シート（第１外側シート１２１Ｓａ）に設けられている。そして、使用者は、第１外側シート１２１Ｓａに設けられた加飾部３６ｅ、３６ｆ、３６ｇを直接視認可能である。さらに、使用者は、第１中間シート１２２Ｓａに設けられた加飾部３６ｂ、３６ｃ、３６ｄを、第１外側シート１２１Ｓａに設けられた透光部３４ｄ、３４ｅ、３４ｆを介して視認可能である。また、本書における「視認可能」とは、明瞭に認識できるものに限定されず、何らかの存在を人が認識できることを意味するものである。
このように、加飾部３６ｂ、３６ｃ、３６ｄ、３６ｅ、３６ｆ、３６ｇが、第１内層シートと第１外層シートとに設けられていることで、通常のフィルムデコレーションでは表現不可能な立体感をシート材容器Ｃ１に付与することができる。
【００２７】
本実施形態では、加飾部３６ｂ、３６ｃ、３６ｄ、３６ｅ、３６ｆ、３６ｇ、３６ｈは、充填部４１Ｓａ、４２Ｓａ、４４Ｓａ（及び充填部４１Ｓｂ、４２Ｓｂ、４４Ｓｂ）を挟んで対向する第１外層シート（第１外側シート１２１Ｓａ）と第１内層シート（第１内側シート１２３Ｓａ又は第１中間シート１２２Ｓａ）と、及び／又は第２外層シート（第２外側シート１２１Ｓｂ）と第２内層シート（第２内側シート１２３Ｓｂ又は第２中間シート１２２Ｓｂ）とに設けられている。
このように、加飾部３６ｂ、３６ｃ、３６ｄ、３６ｅ、３６ｆ、３６ｇ、３６ｈが、第１内層シートと第１外層シート、及び／又は第２内層シートと第２外層シートに設けられていることで、使用者は、複数の方向（本実施形態においては正面側と背面側）から、立体的に加飾部３６ｂ、３６ｃ、３６ｄ、３６ｅ、３６ｆ、３６ｇ、３６ｈを視認することができ、意匠効果を高めることができる。
【００２８】
本実施形態では、加飾部３６ｂ、３６ｃ、３６ｄは、シート材容器Ｃ１の外方から見て透光部３４ｄ、３４ｅ、３４ｆに重なる位置に形成されている。具体的には、透光部３４ｄ、３４ｅ、３４ｆのそれぞれの少なくとも一部は、加飾部３６ｂ、３６ｃ、３６ｄに対して、シート材容器Ｃ１の外方からの可視光を直線的に透過可能な位置に配置されている。
また、加飾部３６ｈは、シート材容器Ｃ１の外方から見て透光部３４ｄ、３４ｅ、３４ｆのいずれか及び透光部３４ｇに重なる位置に形成されている。具体的には、透光部３４ｄ、３４ｅ、３４ｆ及び透光部３４ｇのそれぞれの少なくとも一部は、加飾部３６ｈに対して、シート材容器Ｃ１の外方からの可視光を直線的に透過可能な位置に配置されている。
つまり、加飾部３６ｂ、３６ｃ、３６ｄ、３６ｈは、透光部３４ｄ、３４ｅ、３４ｆ、３４ｇの少なくともいずれか一つによりシート材容器Ｃ１の外方から可視光が透過する位置にある。本実施形態に係る外側シート１２１Ｓ、中間シート１２２Ｓにおいては、加飾部３６ｂ、３６ｃ、３６ｄ、３６ｅ、３６ｆ、３６ｇ以外の略全体が透光性を有するものである。
【００２９】
本実施形態では、中間シート１２２Ｓにおける加飾部３６ｂ、３６ｃ、３６ｄが設けられている部位と、外側シート１２１Ｓにおける透光部３４ｄ、３４ｅ、３４ｆが設けられている部位との間に、透光性を有しない部材が設けられていない。
同様に、内側シート１２３Ｓにおける加飾部３６ｈが設けられている部位と、中間シート１２２Ｓにおける透光部３４ｇ及び１２１Ｓにおける透光部３４ｄ、３４ｅ、３４ｆが設けられている部位との間に、透光生を有しない部材が設けられていない。
一方で、部分的に透光性を有しない部材であっても、加飾部３６ｂ、３６ｃ、３６ｄ、３６ｈと透光部３４ｄ、３４ｅ、３４ｆ、３４ｇとの間に透光性を有する部位を少なくとも備える部材であれば、中間シート１２２Ｓと外側シート１２１Ｓとの間に設けられていてもよい。
同様に、部分的に透光性を有しない部材であっても、加飾部３６ｈと透光部３４ｄ、３４ｅ、３４ｆ及び透光部３４ｇとの間に透光性を有する部位を少なくとも備える部材であれば、内側シート１２３Ｓと中間シート１２２Ｓとの間、中間シート１２２Ｓと外側シート１２１Ｓとの間に設けられていてもよい。
このように構成されていることで、可視光は、外側シート１２１Ｓの透光部３４ｄ、３４ｅ、３４ｆを介して、中間シート１２２Ｓの加飾部３６ｂ、３６ｃ、３６ｄに透過可能となる。
同様に、可視光は、外側シート１２１Ｓの透光部３４ｄ、３４ｅ、３４ｆ及び中間シート１２２Ｓの透光部３４ｇを介して、内側シート１２３Ｓの加飾部３６ｈに透過可能となる。
なお、本書における「可視光が透過する」とは、物理現象として可視光が通ることを意味し、人の視覚によっては認識できないものを含む。
【００３０】
また、上記構成によれば、充填部４１Ｓａ、４１Ｓｂ、４２Ｓａ、４２Ｓｂ、４４Ｓａ、４４Ｓｂの外表面を形成する外側シート１２１Ｓと、加飾部３６ｂ、３６ｃ、３６ｄ、３６ｈとの間に充填された充填材（空気等）分の隙間が生じることになる。したがって、透光性を有する外側シート１２１Ｓに設けられた加飾部３６ｅ、３６ｆ、３６ｇとともに、中間シート１２２Ｓに設けられた加飾部３６ｂ、３６ｃ、３６ｄ及び内側シート１２３Ｓに設けられた加飾部３６ｈによって立体的な装飾表現が可能となる。
【００３１】
充填部４１Ｓａ、４１Ｓｂ、４２Ｓａ、４２Ｓｂ、４４Ｓａ、４４Ｓｂを挟んで互いに離間しつつ重なる重なり領域５１Ｓａ、５２Ｓａ、５４Ｓａ（又は重なり領域５１Ｓｂ、５２Ｓｂ、５４Ｓｂ）における複数の加飾シート（例えば、第１外側シート１２１Ｓａと第１中間シート１２２Ｓａ）のそれぞれに設けられた加飾部３６ｂ、３６ｃ、３６ｄ、３６ｅ、３６ｆ、３６ｇ、３６ｈは、ひとまとまりの表示対象物を表す加飾である。
ここで、「ひとまとまりの表示対象物」とは、使用者がシート材容器Ｃ１を外方から見たときに一部が重なって表されているものや、重なっていないとしても表示物どうしに関連があり一体的なものとして観念されるものをいう。
本実施形態においては、一部が重なって表された各種花と草を構成要素として含んでひとまとまりとなる花束模様を例に挙げている。その他、表示物どうしに関連があり一体的なものとして観念されるものの例としては、人物とその影の模様、地球と地球から飛び出してくる人物の模様等が挙げられる。
【００３２】
本実施形態においては、重なり領域５１Ｓａは、充填部４１Ｓａが設けられている部位、重なり領域５２Ｓａは、充填部４２Ｓａが設けられている部位、重なり領域５４Ｓａは、充填部４４Ｓａが設けられている部位を指す。
同様に、重なり領域５１Ｓｂは、充填部４１Ｓｂが設けられている部位、重なり領域５２Ｓｂは、充填部４２Ｓｂが設けられている部位、重なり領域５４Ｓｂは、充填部４４Ｓｂが設けられている部位を指す。
【００３３】
重なり領域５１Ｓａ、５２Ｓａ、５４Ｓａ（又は重なり領域５１Ｓｂ、５２Ｓｂ、５４Ｓｂ）における複数の加飾シート（例えば、第１外側シート１２１Ｓａと第１中間シート１２２Ｓａ）のそれぞれに設けられた加飾部３６ｂ、３６ｃ、３６ｄ、３６ｅ、３６ｆ、３６ｇは、同種の加飾が施されている。本実施形態に係る加飾部３６ｂ、３６ｃ、３６ｄ、３６ｅ、３６ｆ、３６ｇは、同種の花の加飾が施されていることで、奥行方向に複数重なって視認されて花束の奥行き感を生じさせることができる。
「同種の加飾」には、同じ種類の植物どうし、同じ種別の動物（人を含む）どうし、又は製品分類上の同じ物等、表象している対象の種類又は種別が同じである加飾をいう。
【００３４】
第１内層シート（第１内側シート１２３Ｓａ及び／又は第１中間シート１２２Ｓａ）、第１外層シート（第１外側シート１２１Ｓａ）、第２内層シート（第２内側シート１２３Ｓｂ及び／又は第２中間シート１２２Ｓｂ）及び第２外層シート（第２外側シート１２１Ｓｂ）のうち、シート材容器Ｃ１の一方側から見て、手前側にあるシートに設けられた加飾部３６ｅ、３６ｆ、３６ｇは、後方側にあるシートに設けられた加飾部３６ｂ、３６ｃ、３６ｄ、３６ｈと比較して高い鮮鋭度で示されている。
「鮮鋭度」とは、彩度の高低や、輪郭の滑らかな度合いを含むものである。
「手前側」とは、任意の方向からシート材容器Ｃ１を見た使用者の近位側を意味し、本実施形態においては正面側である。「後方側」とは、任意の方向からシート材容器Ｃ１を見た使用者の遠位側を意味し、本実施形態においては背面側である。
【００３５】
このように、手前側の加飾部３６ｅ、３６ｆ、３６ｇが後方側の加飾部３６ｂ、３６ｃ、３６ｄ、３６ｈと比較して高い鮮鋭度で示されていることで、人の視覚の焦点が手前側の加飾部３６ｅ、３６ｆ、３６ｇに合わせられて、後方側の加飾部３６ｂ、３６ｃ、３６ｄに合っていないように、人に視認させることができる。このため、実際よりも遠近感を強調することができ、奥行き感をより生じさせることができる。
【００３６】
また、手前側にあるシートに設けられた加飾部３６ｅ、３６ｆ、３６ｇは、後方側にあるシートに設けられた加飾部３６ｂ、３６ｃ、３６ｄ、３６ｈと比較して、コントラストが高くてもよい。
「コントラスト」とは、最も暗い部分と最も明るい部分の輝度の差をいう。
このように、手前側の加飾部３６ｅ、３６ｆ、３６ｇが後方側の加飾部３６ｂ、３６ｃ、３６ｄ、３６ｈと比較して高いコントラストで示されていることで、上記と同様に、人の視覚の焦点が手前側の加飾部３６ｅ、３６ｆ、３６ｇに合わせられて、後方側の加飾部３６ｂ、３６ｃ、３６ｄに合っていないように、人に視認させることができる。このため、実際よりも遠近感を強調することができ、奥行き感をより生じさせることができる。
【００３７】
本実施形態に係る外側シート１２１Ｓ、中間シート１２２Ｓにおいては、加飾部３６ｂ、３６ｃ、３６ｄ、３６ｅ、３６ｆ、３６ｇ以外の略全体が透光性を有するものであると説明したが、本発明はこのような構成に限定されない。例えば、加飾部３６ｂ、３６ｃ、３６ｄ、３６ｅ、３６ｆ、３６ｇを含めて透光性を有するものであってもよい。つまり、透光部は、中間シート１２２Ｓ及び外側シート１２１Ｓの全体に形成されているものであってもよい。
【００３８】
本実施形態に係る外側シート１２１Ｓのうち充填部４１Ｓａ、４２Ｓａ、４４Ｓａ（及び充填部４１Ｓｂ、４２Ｓｂ、４４Ｓｂ）を形成している非接合部６１Ｓａ、６２Ｓａ、６４Ｓａ（及び非接合部６１Ｓｂ、６２Ｓｂ、６４Ｓｂ）に、加飾部３６ｅ、３６ｆ、３６ｇが設けられている。
したがって、充填部４１Ｓａ、４１Ｓｂ、４２Ｓａ、４２Ｓｂ、４４Ｓａ、４４Ｓｂに充填材が充填されて、厚み方向に膨らむことで、外側シート１２１Ｓの表面に凹凸形状を備えさせることができる。このように、加飾部３６ｅ、３６ｆ、３６ｇが凹凸形状の部位を含むようにすれば、加飾部３６ｅ、３６ｆ、３６ｇをより立体的に表現でき、加飾効果を高めることが可能である。
さらに、外側シート１２１Ｓに設けられた加飾部３６ｅ、３６ｆ、３６ｇと、中間シート１２２Ｓに設けられた加飾部３６ｂ、３６ｃ、３６ｄとが組み合わさることによって、異なる加飾面で立体的な加飾効果を奏することが可能である。
【００３９】
加飾部３６ｅ、３６ｆ、３６ｇは、中間シート１２２Ｓに設けられた加飾部３６ｂ、３６ｃ、３６ｄに対してずれて配置されていてもよく、加飾部３６ｅ、３６ｆ、３６ｇが透光性を有するのであれば重なって配置されていてもよい。また、加飾部３６ｅ、３６ｆ、３６ｇが透光性を有さずに、ある方向において加飾部３６ｂ、３６ｃ、３６ｄに完全に重なっていてもよい。この場合であっても、外側シート１２１Ｓにおいて加飾部３６ｅ、３６ｆ、３６ｇではない部分に設けられた透光部３４ｄ、３４ｅ、３４ｆから中間シート１２２Ｓに設けられた加飾部３６ｂ、３６ｃ、３６ｄを他の方向から視認可能であればよい。
【００４０】
特に、シート材容器Ｃ１における異なる奥行位置において、加飾表現をすることができるため装飾のバリエーションを増やすことができる。例えば、内側シート１２３Ｓ（例えば第１内側シート１２３Ｓａ）の加飾部３６ｈにおいて水中の環境を表す加飾部、中間シート１２２Ｓ（例えば第１中間シート１２２Ｓａ）において地上の環境を表す加飾部、外側シート１２１Ｓ（例えば第１外側シート１２１Ｓａ）において空中の環境を表す加飾部を設けるようにしてもよい。
このように、内側シート１２３Ｓ、中間シート１２２Ｓ及び外側シート１２１Ｓのそれぞれに設けられた加飾部が、内側シート１２３Ｓと中間シート１２２Ｓと外側シート１２１Ｓとの位置関係に応じた異なる表現であることで、空間として立体的で統一感のある加飾効果をシート材容器Ｃ１に付与することが可能である。
【００４１】
〔第２実施形態〕
次に、本発明の第２実施形態に係るシート材容器Ｃ５（内容物詰めシート材容器ＣＡ５）を、図５〜図８を参照して説明する。
図５は、第２実施形態に係るシート材容器Ｃ５（内容物詰めシート材容器ＣＡ５）の正面図、図６は、内容物詰めシート材容器ＣＡ５の断面図であり、図５のVI-VI断面を示す図である。図７は、後方加飾部３６ｒが広範囲に露出した状態のシート材容器Ｃ５を示す正面図、図８は、逆止弁付きのポンプ付きキャップ９０を示す模式的な部分断面図である。
【００４２】
シート材容器Ｃ５（内容物詰めシート材容器ＣＡ５）は、収容部１０ａ内の内容物９６が少なくなったときに、後方加飾部３６ｒをシート材容器Ｃ５の外方に露出させて、前方加飾部３６ｑとの組み合わせにより格子状の模様を示す機能を有する容器である。
本実施形態に係るシート材容器Ｃ５は、図５〜図７に示すように、内容物９６を収容する収容部１０ａを有して、積層シート１２０Ｘで構成されたシート材容器Ｃ５である。積層シート１２０Ｘは、収容部１０ａを挟んでシート材容器Ｃ５の一方側（正面側）にある第１積層シート１２０Ｘａと、収容部１０ａを挟んでシート材容器Ｃ５の他方側（背面側）にある第２積層シート１２０Ｘｂと、を含む。
第１積層シート１２０Ｘａは、第１内層シート（第１内側シート１２３Ｘａ及び／又は第１中間シート１２２Ｘａ）と、第１内層シート（第１内側シート１２３Ｘａ及び／又は第１中間シート１２２Ｘａ）の外側を覆う第１外層シート（第１外側シート１２１Ｘａ）と、を含む。
第２積層シート１２０Ｘｂは、第２内層シート（第２内側シート１２３Ｘｂ及び／又は第２中間シート１２２Ｘｂ）と、第２内層シート（第２内側シート１２３Ｘｂ及び／又は第２中間シート１２２Ｘｂ）の外側を覆う第２外層シート（第２外側シート１２１Ｘｂ）と、を含む。
第１内層シート（第１内側シート１２３Ｘａ及び／又は第１中間シート１２２Ｘａ）、第１外層シート（第１外側シート１２１Ｘａ）、第２内層シート（第２内側シート１２３Ｘｂ及び／又は第２中間シート１２２Ｘｂ）及び第２外層シート（第２外側シート１２１Ｘｂ）のいずれか複数は、前方加飾部３６ｑ、後方加飾部３６ｒが設けられた加飾シートである。
【００４３】
本実施形態においては、前方加飾部３６ｑが設けられた第１内側シート１２３Ｘａ、及び後方加飾部３６ｒが設けられた第２内側シート１２３Ｘｂが加飾シートである。
複数の加飾シートは、収容部１０ａを挟んで互いに離間しつつ重なる重なり領域５３Ｘを有する。この重なり領域５３Ｘに前方加飾部３６ｑ及び後方加飾部３６ｒが設けられている。
第１内層シート（第１内側シート１２３Ｘａ及び／又は第１中間シート１２２Ｘａ）、第１外層シート（第１外側シート１２１Ｘａ）及び第２内層シート（第２内側シート１２３Ｘｂ及び／又は第２中間シート１２２Ｘｂ）のうち、前方加飾部３６ｑ及び後方加飾部３６ｒに対してシート材容器Ｃ５の一方側にあるシートは可視光を透過可能な透光部３４ｑ、３４ｒ、３４ｓを有する。
前方加飾部３６ｑ及び後方加飾部３６ｒは、透光部３４ｑ、３４ｒ、３４ｓを介してシート材容器Ｃ５の外方から可視光が透過する位置にあるように構成されている。
前方加飾部３６ｑは、第１外層シート（第１外側シート１２１Ｘａ）又は第１内層シート（第１内側シート１２３Ｘａ及び／又は第１中間シート１２２Ｘａ）の少なくとも一方に設けられていればよい。
後方加飾部３６ｒは、第２外層シート（第２外側シート１２１Ｘｂ）又は第２内層シート（第２内側シート１２３Ｘｂ及び／又は第２中間シート１２２Ｘｂ）の少なくとも一方に設けられていればよい。
【００４４】
内側シート１２３Ｘ（第１内側シート１２３Ｘａ、第２内側シート１２３Ｘｂ）の周縁の少なくとも一部どうしが互いに接合されることによって、内側シート１２３Ｘは内袋１０Ｘを形成している。例えば、収容部１０ａに収容される内容物９６は、透光性を有さない、又は後方加飾部３６ｒと同色又は同系色で構成されている。収容部１０ａは、シート材容器Ｃ５の内袋１０Ｘによって形成されている。透光性を有さない、又は後方加飾部３６ｒと同色又は同系色の内容物９６が収容部１０ａ内に収容されているときは、内容物詰めシート材容器ＣＡ５の正面側から見て、後方加飾部３６ｒを内容物詰めシート材容器ＣＡ５の外部に露出させないようにできる。
第１内側シート１２３Ｘａの少なくとも一部は、第１中間シート１２２Ｘａから離間可能であり、第２内側シート１２３Ｘｂの少なくとも一部は、第２中間シート１２２Ｘｂから離間可能に構成されている。このため、内袋１０Ｘ（収容部１０ａ）の容積は、内容物９６の収容量に応じて増減可能である。本実施形態に係る内側シート１２３Ｘは、中間シート１２２Ｘの天井部２２の一部以外から離間可能に構成されている。
【００４５】
このように、内側シート１２３Ｘの一部が中間シート１２２Ｘから離間可能に構成されていることで、内袋１０Ｘ内の内容物９６を容易に排出することができ、内袋１０Ｘ内における内容物９６の残留を抑制できる。また、使用者は、シート材容器Ｃ５の外方から透光部３４ｑ、３４ｒを介して内袋１０Ｘの膨らみ具合を視認可能となる。このため、使用者は、内袋１０Ｘの膨らみ具合から内容物９６の収容量を確認することが可能となる。
【００４６】
さらには、内袋１０Ｘの内容積の減少に応じて、内側シート１２３Ｘに皺が生じるようにして内側シート１２３Ｘが弛み、内側シート１２３Ｘと中間シート１２２Ｘとの間に空間が生じることになる。このため、内側シート１２３Ｘによって構成される内袋１０Ｘが複雑な立体的な形状となって、シート材容器Ｃ５の外観に現れることとなり、特徴的な美観がシート材容器Ｃ５に付与されることになる。
【００４７】
収容部１０ａを挟んで互いに離間しつつ重なる重なり領域５３Ｘにおける第１内側シート１２３Ｘａ、第２内側シート１２３Ｘｂのそれぞれに設けられた前方加飾部３６ｑ、後方加飾部３６ｒは、ひとまとまりの表示対象物を表す加飾である。
具体的には、本実施形態に係る前方加飾部３６ｑは、横縞模様であり、後方加飾部３６ｒは縦縞模様であることで、シート材容器Ｃ５の外方から一部が重なって表されることで、ひとまとまりの表示対象物である格子状の模様を表す加飾となっている。
つまり、内容物９６が、収容部１０ａからポンプ付きキャップ９０によってシート材容器Ｃ５の外部に吐出されて収容部１０ａ内において少なくなると、吐出前は横縞模様であった加飾が、前方加飾部３６ｑと後方加飾部３６ｒとが重なって格子状の模様の加飾となって表れることになる。
【００４８】
前方加飾部３６ｑは、第１外層シート（第１外側シート１２１Ｘａ）又は第１内層シート（第１内側シート１２３Ｘａ若しくは第１中間シート１２２Ｘａ）の少なくとも一枚に設けられている。また、後方加飾部３６ｒは、第２外層シート（第２外側シート１２１Ｘｂ）又は第２内層シート（第２内側シート１２３Ｘｂ若しくは第２中間シート１２２Ｘｂ）の少なくとも一枚に設けられている。
また、前方加飾部３６ｑ及び後方加飾部３６ｒの少なくとも一部は、一方側（前方側）から見てずれた位置にある。
そして、第１内層シート（第１内側シート１２３Ｘａ又は第１中間シート１２２Ｘａ）に設けられた前方加飾部３６ｑ、及び後方加飾部３６ｒは、透光部により、一方側のシート材容器Ｃ５の外部まで光透過可能に構成されている。
【００４９】
本実施形態においては、前方加飾部３６ｑは、第１内側シート１２３Ｘａにおいて、横幅方向における充填部４１Ｓａと充填部４２Ｓａとの間の位置に設けられている。前方加飾部３６ｑは、透光部３４ｑ、３４ｒにより一方側（前方側）のシート材容器Ｃ５の外部まで光透過可能に構成されている。後方加飾部３６ｒは、第２内側シート１２３Ｘｂにおいて、横幅方向における充填部４１Ｓｂと充填部４２Ｓｂとの間の位置に設けられている。後方加飾部３６ｒは、透光部３４ｑ、３４ｒ、３４ｓにより一方側（前方側）のシート材容器Ｃ５の外部まで光透過可能に構成されている。
上記のように、本実施形態に係る前方加飾部３６ｑは、横縞模様であり、後方加飾部３６ｒは縦縞模様である。つまり、前方加飾部３６ｑと後方加飾部３６ｒとは、第１内側シート１２３Ｘａと第２内層シートとにおいてずれた位置にある。
このように、シート材容器Ｃ５の外方からの視認可能な方向のうち、少なくとも一方向にずれた位置に後方加飾部３６ｒ、前方加飾部３６ｑが形成されていることで、使用者は、収容部１０ａ内の内容物９６の残量を容易に確認できる。
【００５０】
プラスチック容器と、プラスチック容器の内側に配設される剥離フィルムと、から構成される不図示の一般的なデラミボトルでは、プラスチック容器と剥離フィルムとが、一つのパリソンから成形される。そして、剥離フィルムとプラスチック容器の内面とによって閉空間が形成されるため、剥離フィルムのプラスチック容器の対向面側に装飾を加えることは困難である。
一方で、本実施形態に係るシート材容器Ｃ５は、積層シート１２０Ｘを含んで構成されており、内側シート１２３Ｘ、中間シート１２２Ｘ及び内側シート１２３Ｘを個別に形成して一部を接合することによって積層シート１２０Ｘを形成できる。このため、積層シート１２０Ｘを形成する前段階において、内側シート１２３Ｘに前方加飾部３６ｑ、後方加飾部３６ｒを設けることが可能となる。
【００５１】
また、図５に示すように、使用者は、内容物９６と後方加飾部３６ｒが重なる部位において、後方加飾部３６ｒに対して収容部１０ａを挟んだ正面側から後方加飾部３６ｒを視認できないことにより、横縞模様の前方加飾部３６ｑのみを視認可能である。一方で、収容部１０ａから内容物９６が少なくなり、収容部１０ａ（内袋１０Ｖ）が奥行方向に収縮したときや、図７に示すように内容物９６が収容部１０ａからなくなったときには、使用者は、縦縞模様の後方加飾部３６ｒを視認可能となる。このとき、使用者は、前方加飾部３６ｑと後方加飾部３６ｒとが組み合わさった加飾を視認可能となり、模様が格子状の模様に変化することで、収容部１０ａ内の内容物９６の残量を容易に確認できる。
【００５２】
シート材容器Ｃ５の収容部１０ａには、図８に示す逆止弁８０が設けられている。この逆止弁８０は、収容部１０ａから内容物９６を吐出することを可能としつつ、収容部１０ａ内に空気が逆流することを防ぐ向きで設けられている。
ここで、「収容部１０ａには、逆止弁８０が設けられている」とは、直接的に収容部１０ａに設けられているものに限定されず、間接的に部材を介して設けられているものも含む概念であり、本実施形態においては、ポンプ付きキャップ９０を介して、収容部１０ａに逆止弁８０が設けられている。ポンプ付きキャップ９０は、内容物９６を収容部１０ａから外部に吐出可能とするものである。
【００５３】
本実施形態においては、逆止弁８０は、図８に示すように、押下部９３と送液チューブ９５とを有するポンプ付きキャップ９０に設けられている。そして、ポンプ付きキャップ９０のキャップ部９１がスパウト３０に取り付けられ、内袋１０Ｘにポンプ付きキャップ９０が取り付けられることによって、逆止弁８０が間接的に内袋１０Ｘに取り付けられて、収容部１０ａに設けられている。
具体的には、本実施形態に係る逆止弁８０は、シリンダ部８０ａと、シリンダ部８０ａ内を往復動可能なピストン部８０ｂと、ピストン部８０ｂを突出位置に押し戻すスプリング８０ｃと、下部に設けられた球体状の吸入弁８０ｄと、上部に設けられた球体状の吐出弁８０ｅと、から構成されている。
【００５４】
使用者が、押下部９３を下方に押し込むと、押下部９３に接続されたピストン部８０ｂが、スプリング８０ｃの付勢に反して下方に移動する。このとき、ピストン部８０ｂ下方の空間内の圧力が高まり、吐出弁８０ｅがピストン部８０ｂから上方に瞬時的に浮かぶことになる。
使用者が、押下部９３の押し込みを解除すると、シリンダ部８０ａの付勢によってピストン部８０ｂが上方に移動する。このとき、ピストン部８０ｂ下方の空間の圧力が低下することで、吸入弁８０ｄが上方に瞬時的に浮かぶ。
【００５５】
吸入弁８０ｄが浮かぶことで連通した隙間から、圧力が低下したシリンダ部８０ａ内に送液チューブ９５を介して内容物９６が吸い上がることになる。そして、吸入弁８０ｄは、自重によって下方に移動することで、下方に空気が移動して内袋１０Ｘ内に入り込むことを抑制する。
さらに使用者が、押下部９３を下方に押し込んで、ピストン部８０ｂ下方の空間内の圧力が高まると、吐出弁８０ｅがピストン部８０ｂから上方に浮かぶことで連通した隙間から、ノズル部９４に内容物９６が供給され、内容物９６はノズル部９４から吐出されることになる。
【００５６】
このように、内袋１０Ｘに逆止弁８０が取り付けられていると、内容物９６の量に応じて内袋１０Ｘの内容積が増減する。この場合に、仮に外側シート１２１Ｘ又は中間シート１２２Ｘが透光性を有しなければ、内袋１０Ｘ内の内容物９６の内容量を確認することが困難である。
一方で、本実施形態に係るシート材容器Ｃ５においては、内側シート１２３Ｘ、中間シート１２２Ｘ及び外側シート１２１Ｘのすべてにおいて、シート材容器Ｃ５における正面側に透光部３４ｑ、３４ｒ、３４ｓが設けられている。
【００５７】
具体的には、第２内側シート１２３Ｘｂに設けられた後方加飾部３６ｒよりも正面側にある、第１内側シート１２３Ｘａに透光部３４ｓ、第１中間シート１２２Ｘａに透光部３４ｒ、第１外側シート１２１Ｘａに透光部３４ｑが重なって設けられている。
より具体的には、透光部３４ｓ、３４ｒ、３４ｑの少なくとも一部は、後方加飾部３６ｒに対して、シート材容器Ｃ５の正面側の外方からの可視光を直線的に透過可能な位置に直線上に重なるように配設されている。
【００５８】
そして、透光部３４ｑが設けられた第１外側シート１２１Ｘａ、透光部３４ｒが設けられた第１中間シート１２２Ｘａ、透光部３４ｓが設けられた第１内側シート１２３Ｘａのそれぞれの間に、透光性を有しない部材が設けられていない。
一方で、部分的に透光性を有しない部材であっても、後方加飾部３６ｒ、及び透光部３４ｑ、３４ｒ、３４ｓに直線的に重なる少なくとも一部に、透光性を有する備える部材であれば、第１外側シート１２１Ｘａ、第１中間シート１２２Ｘａ又は第１内側シート１２３Ｘａのいずれかの間に設けられていてもよい。
【００５９】
このように構成されていることで、使用者は、透光部３４ｓ、３４ｒ、３４ｑを介して、内容物９６の内容量によって変化する上記の模様を確認することができる。また、内袋１０Ｘの外形を確認して内容物９６の内容量を確認することも可能となる。
【００６０】
本発明に係る「逆止弁」は、空気の内袋１０Ｘへの流入を防止できれば、上記構成に係る逆止弁８０に限定されない。例えば、内袋１０Ｘに直接取り付けられるようなダックビル弁その他の構造の逆止弁を適用することができ、スパウト３０に設けるようにしてもよい。
【００６１】
本実施形態においては、第１内側シート１２３Ｘａに前方加飾部３６ｑ、第２内側シート１２３Ｘｂに後方加飾部３６ｒが設けられている例を説明したが、収容部１０ａを挟んだ両側に加飾部が設けられていればよく、本発明はこのような構成に限定されない。例えば、正面側の第１中間シート１２２Ｘａ及び／又は第１外側シート１２１Ｘａに前方加飾部が設けられ、背面側の第２中間シート１２２Ｘｂ及び／又は第２外側シート１２１Ｘｂに後方加飾部が設けられていてもよい。そして、この場合、後方加飾部に対してシート材容器の正面側にあるシートに可視光を透過可能な透光部があればよい。
さらには、加飾部は、正面側、背面側にとらわれずに、収容部１０ａを挟む任意の方向の両側に設けられていてもよい。このとき、使用者が、内容物９６が少なくなったときに、少なくともいずれかの加飾部を収容部１０ａ越しに視認可能な構成であればよい。
【００６２】
また、上記の実施形態に係るシート材容器を構成する外側シート１２１Ｓ、１２１Ｘ、中間シート１２２Ｓ、１２２Ｘ、及び内側シート１２３Ｓ、１２３Ｘの各シートとしては、合成樹脂フィルムを用いることができ、たとえば、ポリエステル系、ポリアミド系、ポリプロピレン系等の樹脂を用いることができる。尤も、内容物を収容する容器としての機能を有するものであれば、これに限定されない。
また、上記の実施形態に係る外側シート１２１Ｓ、１２１Ｘ、中間シート１２２Ｓ、１２２Ｘ、及び内側シート１２３Ｓ、１２３Ｘの各シートは、更に積層された層から成るものであってもよい。例えば、これらの層としては、ポリエチレンテレフタレート（ＰＥＴ）若しくは延伸ナイロン（ＯＮｙ）の層、シリカ及びアルミナが蒸着されたポリエチレンテレフタレートにより構成された透明蒸着ＰＥＴの層、延伸ナイロンの層、若しくは直鎖状低密度ポリエチレン（ＬＬＤＰＥ）、又はこれらの組み合わせが想定される。
そして、各シートに設けられる加飾部は、積層された層の一部の層にのみに設けられていてもよい。また、シート材容器は、上記の各シート以外に他のシートを追加的に備えていてもよい。
【００６３】
上記実施形態は、以下の技術思想を包含する。
＜１＞内容物を収容する収容部を有して、積層シートで構成されたシート材容器であって、
前記積層シートは、
前記収容部を挟んで前記シート材容器の一方側にある第１積層シートと、
前記収容部を挟んで前記シート材容器の他方側にある第２積層シートと、を含み、
前記第１積層シートは、
第１内層シートと、
該第１内層シートの外側を覆う第１外層シートと、を含み、
前記第２積層シートは、
第２内層シートと、
該第２内層シートの外側を覆う第２外層シートと、を含み、
前記第１内層シートと前記第１外層シート、又は第２内層シートと前記第２外層シートの少なくとも一方には、互いに部分的に接合された接合部と、非接合とされた非接合部とがあり、
該非接合部における前記第１内層シートと前記第１外層シートとの間、又は前記非接合部における前記第２内層シートと前記第２外層シートとの間に、充填材が封入された充填部が形成されており、
前記第１内層シート、前記第１外層シート、前記第２内層シート及び前記第２外層シートのいずれか複数は、加飾部が設けられた加飾シートであり、
複数の前記加飾シートは、前記収容部又は前記充填部を挟んで互いに離間しつつ重なる重なり領域を有して、該重なり領域に前記加飾部が設けられており、
前記第１内層シート、前記第１外層シート及び前記第２内層シートのうち、前記加飾部に対して前記シート材容器の一方側にあるシートは可視光を透過可能な透光部を有し、
前記加飾部は、前記透光部により前記シート材容器の外方から可視光が透過する位置にあることを特徴とするシート材容器。
＜２＞前記加飾部は、前記第１内層シートと前記第１外層シートとに設けられており、
前記透光部は、前記第１外層シートに設けられている＜１＞に記載のシート材容器。
＜３＞前記重なり領域における前記複数の加飾シートのそれぞれに設けられた前記加飾部は、ひとまとまりの表示対象物を表す加飾である＜１＞又は＜２＞に記載のシート材容器。
＜４＞前記重なり領域における前記複数の加飾シートのそれぞれに設けられた前記加飾部は、同種の加飾が施されている＜１＞から＜３＞のいずれか一項に記載のシート材容器。
＜５＞前記第１内層シート、前記第１外層シート、前記第２内層シート及び前記第２外層シートのうち、前記シート材容器の一方側から見て、手前側にあるシートに設けられた前記加飾部は、後方側にあるシートに設けられた前記加飾部と比較して高い鮮鋭度で示されている＜１＞から＜４＞のいずれか一項に記載のシート材容器。
＜６＞前記手前側にあるシートに設けられた前記加飾部は、前記後方側にあるシートに設けられた前記加飾部と比較して、コントラストが高い＜５＞に記載のシート材容器。
＜７＞前記加飾部は、
前記第１外層シート又は前記第１内層シートの少なくとも一枚に設けられた前方加飾部と、前記第２外層シート又は前記第２内層シートの少なくとも一枚に設けられた後方加飾部とを有し、
前記前方加飾部及び前記後方加飾部の少なくとも一部が、前記一方側から見てずれた位置にあり、
前記後方加飾部及び前記第１内層シートに設けられた前記前方加飾部は、前記透光部により、前記一方側の前記シート材容器の外部まで光透過可能に構成されている＜１＞に記載のシート材容器。
＜８＞前記前方加飾部が設けられた前記加飾シートと、前記後方加飾部が設けられた前記加飾シートとは、前記収容部を挟んで互いに離間しつつ重なる前記重なり領域を有して、該重なり領域に前記前方加飾部、前記後方加飾部がそれぞれ設けられている＜７＞に記載のシート材容器。
＜９＞前記収容部には逆止弁が設けられており、
該逆止弁は、前記収容部から前記内容物を吐出することを可能としつつ、前記収容部内に空気が逆流することを防ぐ向きで設けられている＜８＞に記載のシート材容器。
＜１０＞前記加飾部は、前記充填部を挟んで対向する前記第１外層シートと前記第１内層シートと、及び／又は前記第２外層シートと前記第２内層シートとに設けられている＜１＞から＜９＞のいずれか一項に記載のシート材容器。
＜１１＞前記収容部は、前記第１内層シートと前記第２内層シートとの少なくとも一部が互いに接合されることで形成されている＜１＞から＜１０＞のいずれか一項に記載のシート材容器。
＜１２＞前記収容部の容積は、前記内容物の収容量に応じて増減可能である＜１＞から＜１１＞のいずれか一項に記載のシート材容器。
＜１３＞前記第１内層シートは、第１内側シートと該第１内側シートの外側を覆う第１中間シートと、から構成されており、
前記第２内層シートは、第２内側シートと該第２内側シートの外側を覆う第２中間シートと、から構成され、
前記充填部は、前記第１中間シートと前記第１外層シートとの間、又は前記第２中間シートと前記第２外層シートとの間が非接合とされた前記非接合部に形成されており、
前記第１内側シートと前記第２内側シートとは、少なくとも一部を互いに接合されて、内袋を形成している＜１＞から＜１０＞のいずれか一項に記載のシート材容器
＜１４＞前記第１内側シートは、前記第１中間シートから離間可能であり、前記第２内側シートは、前記第２中間シートから離間可能であり、前記内袋の容積は、前記内容物の収容量に応じて増減可能である＜１３＞に記載のシート材容器。
＜１５＞前記加飾部は、前記第１内側シート、前記第１中間シート及び前記第１外層シートのそれぞれに設けられており、
前記第１内側シートと前記第１中間シートと前記第１外層シートとの位置関係に応じた異なる表現である＜１３＞又は＜１４＞に記載のシート材容器。
＜１６＞前記透光部の少なくとも一部は、前記加飾部に対して、前記シート材容器の外方からの可視光を直線的に透過可能な位置に配設されている＜１＞から＜１５＞のいずれか一項に記載のシート材容器。
＜１７＞前記充填部は、凹凸形状を有して、
前記加飾部は、前記凹凸形状の部位を含んで形成されている＜１＞から＜１６＞のいずれか一項に記載のシート材容器。
＜１８＞前記充填部は、前記シート材容器において収容部を挟んだ両側に設けられている
＜１＞から＜１７＞のいずれか一項に記載のシート材容器。
＜１９＞前記充填部は、上下方向に延在している＜１＞から＜１８＞のいずれか一項に記載のシート材容器。
＜２０＞前記充填材は、気体である＜１＞から＜１９＞のいずれか一項に記載のシート材容器。
＜２１＞前記収容部内の前記内容物を外部に吐出させるためのスパウトが配設されている＜１＞から＜２０＞のいずれか一項に記載のシート材容器。
＜２２＞ポンプ付きキャップのキャップ部が前記スパウトに取り付けられている＜２１＞に記載のシート材容器。
＜２３＞＜１＞から＜２２＞のいずれか一項に記載のシート材容器と、
前記収容部に収容された前記内容物と、を備える内容物詰めシート材容器。
＜２４＞前記内容物は、前記加飾部の色と同色又は同系色である＜２３＞に記載の内容物詰めシート材容器。
【符号の説明】
【００６４】
１０ａ  収容部
１０Ｓ、１０Ｘ  内袋
２２  天井部
２５  接合部
３０  スパウト
３４ｄ、３４ｅ、３４ｆ、３４ｇ、３４ｑ、３４ｒ、３４ｓ  透光部
３６ｂ、３６ｃ、３６ｄ、３６ｅ、３６ｆ、３６ｇ、３６ｈ、３６ｑ、３６ｒ  加飾部
４１Ｓａ、４１Ｓｂ、４２Ｓａ、４２Ｓｂ、４４Ｓａ、４４Ｓｂ  充填部
５１Ｓａ、５１Ｓｂ、５２Ｓａ、５２Ｓｂ、５３Ｘ、５４Ｓａ、５４Ｓｂ  重なり領域
６１Ｓａ、６１Ｓｂ、６２Ｓａ、６２Ｓｂ、６４Ｓａ、６４Ｓｂ  非接合部
８０  逆止弁
８０ａ  シリンダ部
８０ｂ  ピストン部
８０ｃ  スプリング
８０ｄ  吸入弁
８０ｅ  吐出弁
９０  ポンプ付きキャップ
９１  キャップ部
９３  押下部
９４  ノズル部
９５  送液チューブ
９６  内容物
１２０Ｓ、１２０Ｘ  積層シート
１２０Ｓａ、１２０Ｘａ  第１積層シート
１２０Ｓｂ、１２０Ｘｂ  第２積層シート
１２１Ｓ、１２１Ｘ  外側シート（加飾シート、外層シート）
１２１Ｓａ、１２１Ｘａ  第１外側シート（加飾シート、第１外層シート）
１２１Ｓｂ、１２１Ｘｂ  第２外側シート（加飾シート、第２外層シート）
１２２Ｓ、１２２Ｘ  中間シート
１２２Ｓａ、１２２Ｘａ  第１中間シート（加飾シート、第１内層シート）
１２２Ｓｂ、１２２Ｘｂ  第２中間シート（加飾シート、第２内層シート）
１２３Ｓ、１２３Ｘ  内側シート
１２３Ｓａ、１２３Ｘａ  第１内側シート（加飾シート、第１内層シート）
１２３Ｓｂ、１２３Ｘｂ  第２内側シート（加飾シート、第２内層シート）
Ｃ１、Ｃ５  シート材容器
ＣＡ１、ＣＡ５  内容物詰めシート材容器
【図１】
2020012607.tif 000003
【図２】
2020012607.tif 000004
【図３】
2020012607.tif 000005
【図４】
2020012607.tif 000006
【図５】
2020012607.tif 000007
【図６】
2020012607.tif 000008
【図７】
2020012607.tif 000009
【図８】
2020012607.tif 000010
【手続補正書】
【提出日】平成30年12月3日(2018.12.3)
【手続補正１】
【補正対象書類名】特許請求の範囲
【補正対象項目名】全文
【補正方法】変更
【補正の内容】
【特許請求の範囲】
【請求項１】
内容物を収容する収容部を有して、積層シートで構成されたシート材容器であって、
前記積層シートは、
前記収容部を挟んで前記シート材容器の一方側にある第１積層シートと、
前記収容部を挟んで前記シート材容器の他方側にある第２積層シートと、を含み、
前記第１積層シートは、
第１内層シートと、
該第１内層シートの外側を覆う第１外層シートと、を含み、
前記第２積層シートは、
第２内層シートと、
該第２内層シートの外側を覆う第２外層シートと、を含み、
前記第１内層シートと前記第１外層シート、又は第２内層シートと前記第２外層シートの少なくとも一方には、互いに部分的に接合された接合部と、非接合とされた非接合部とがあり、
該非接合部における前記第１内層シートと前記第１外層シートとの間、又は前記非接合部における前記第２内層シートと前記第２外層シートとの間に、充填材が封入された充填部が形成されており、
前記第１内層シート、前記第１外層シート、前記第２内層シート及び前記第２外層シートのいずれか複数は、加飾部が設けられた加飾シートであり、
複数の前記加飾シートは、前記収容部又は前記充填部を挟んで互いに離間しつつ重なる重なり領域を有して、該重なり領域に前記加飾部が設けられており、
前記第１内層シート、前記第１外層シート及び前記第２内層シートのうち、前記加飾部に対して前記シート材容器の一方側にあるシートは可視光を透過可能な透光部を有し、
前記加飾部は、前記透光部により前記シート材容器の外方から可視光が透過する位置にあることを特徴とするシート材容器。
【請求項２】
前記加飾部は、前記第１内層シートと前記第１外層シートとに設けられており、
前記透光部は、前記第１外層シートに設けられている請求項１に記載のシート材容器。
【請求項３】
前記加飾部は、
前記第１外層シート又は前記第１内層シートの少なくとも一枚に設けられた前方加飾部と、前記第２外層シート又は前記第２内層シートの少なくとも一枚に設けられた後方加飾部とを有し、
前記前方加飾部及び前記後方加飾部の少なくとも一部が、前記一方側から見てずれた位置にあり、
前記後方加飾部及び前記第１内層シートに設けられた前記前方加飾部は、前記透光部により、前記一方側の前記シート材容器の外部まで光透過可能に構成されている請求項１に記載のシート材容器。
【請求項４】
前記前方加飾部が設けられた前記加飾シートと、前記後方加飾部が設けられた前記加飾シートとは、前記収容部を挟んで互いに離間しつつ重なる前記重なり領域を有して、該重なり領域に前記前方加飾部、前記後方加飾部がそれぞれ設けられている請求項３に記載のシート材容器。
【請求項５】
前記加飾部は、前記充填部を挟んで対向する前記第１外層シートと前記第１内層シートと、及び／又は前記第２外層シートと前記第２内層シートとに設けられている請求項１から４のいずれか一項に記載のシート材容器。
【請求項６】
前記収容部は、前記第１内層シートと前記第２内層シートとの少なくとも一部が互いに接合されることで形成されている請求項１から５のいずれか一項に記載のシート材容器。
【請求項７】
前記透光部の少なくとも一部は、前記加飾部に対して、前記シート材容器の外方からの可視光を直線的に透過可能な位置に配設されている請求項１から６のいずれか一項に記載のシート材容器。
【請求項８】
前記充填部は、凹凸形状を有して、
前記加飾部は、前記凹凸形状の部位を含んで形成されている請求項１から７のいずれか一項に記載のシート材容器。
【請求項９】
請求項１から８のいずれか一項に記載のシート材容器と、
前記収容部に収容された前記内容物と、を備える内容物詰めシート材容器。
【国際調査報告】
2020012607.tif 000011
2020012607.tif 000012
2020012607.tif 000013